(57)【特許請求の範囲】
【請求項１】
基材上における少なくとも一部の領域に凸状万線が形成され、前記凸状万線の側部に第一の要素及び第二の要素が複数配置され、第一の画像、第二の画像及びカムフラージュ画像が形成された潜像模様形成体であって、
前記凸状万線は、各々が第一の側部及び第二の側部を有して配置され、
前記第一の要素は、前記第一の画像の原画像である第一の原画像を複数画線状に分割したものであり、前記第一の要素が、少なくとも一部の前記第一の側部に配置されることで前記第一の画像が形成され、
前記第二の要素は、前記第二の画像の原画像である第二の原画像を複数画線状に分割したものであり、前記第二の要素が、少なくとも一部の前記第二の側部に配置されることで前記第二の画像が形成され、
前記複数配置された前記第一の要素及び前記第二の要素のうち、少なくとも一部が一つの前記凸状万線に対応して配置され、
前記対応して配置された前記第一の要素及び前記第二の要素により、前記カムフラージュ画像が形成され、
前記第一の画像は、前記基材に対して第一の観察角度から視認可能な画像であり、前記第二の画像は、前記基材に対して第二の観察角度から視認可能な画像であり、前記カムフラージュ画像は、前記基材に対して第三の観察角度から視認可能な画像であることを特徴とする特殊潜像模様形成体。
【請求項２】
前記第一の要素及び前記第二の要素は、前記第一の原画像及び前記第二の原画像に対応した配列で配置されることを特徴とする請求項１記載の特殊潜像模様形成体。
【請求項３】
前記第一の要素及び前記第二の要素が対応して配置されている前記凸状万線において、各々の前記凸状万線における前記第一の要素及び前記第二の要素は、要素の長さが等しく、かつ、すべてが対応して配置されていることを特徴とする請求項１又は２記載の特殊潜像模様形成体。
【請求項４】
複数配置された前記第一の要素及び前記第二の要素は、要素の長さが全て等しいことを特徴とする請求項３記載の特殊潜像模様形成体。
【請求項５】
前記第一の要素及び前記第二の要素が対応して配置されている前記凸状万線において、各々の前記凸状万線における前記第二の要素は、要素の長さが第一の要素の長さより短く、かつ、前記第一の要素に対応して配置されることを特徴とする請求項１又は２記載の特殊潜像模様形成体。
【請求項６】
前記第一の要素及び前記第二の要素は、一つの要素内において網点及び／又は画素が複数配置されたことを特徴とする請求項１乃至５のいずれか一項記載の特殊潜像模様形成体。
【請求項７】
前記凸状万線に配置した各要素のピッチは、３００〜１０００μｍであることを特徴とする請求項１乃至６のいずれか一項記載の特殊潜像模様形成体。
【請求項８】
前記凸状万線は、凹版印刷、スクリーン印刷、エンボス、すき入れ又はレーザ加工により基材上に形成されたことを特徴とする請求項１乃至７のいずれか一項記載の特殊潜像模様形成体。
【発明の詳細な説明】
【技術分野】
【０００１】
本発明は、銀行券、旅券、有価証券、商品タグ、各種証明書等に偽造、複製の防止用として施す特殊潜像模様形成体に関するものである。
【背景技術】
【０００２】
銀行券、旅券、有価証券等の貴重印刷物は、その性質上、偽造や改竄されにくいことが要求される。この防止策として貴重印刷物上に印刷により微細な画線、微小文字等を付与し、その有無により真偽判別を行う技術が公知である。しかしながら、近年、複写機の高機能化及び高画質化によって、以前は複製が難しかった微細な画線、微小文字等が複製及び再現された貴重印刷物の偽造製品が出回り、深刻な問題となっている。
【０００３】
このような技術的背景において、本出願人が先に出願した特許文献１には、潜像模様を、濃淡の階調を有するカラー画像として視認可能な印刷物が開示されている。基材上にカラー画像の色要素となる複数の色、例えば、イエロー、マゼンタ及びシアンの単色カラー印刷万線と、各々の印刷万線の色に対応した凹凸形状を形成し、各々凹凸形状を、印刷万線と関連づけて、高さ、形状及び配置を変化させることで潜像模様を付与している。印刷物は、観察角度を変化することによって、印刷万線が凹凸形状の影となり、部分的に欠けて見えることで、カラー画像である潜像模様が視認可能となる。
【０００４】
また、特許文献２には、折り曲げ可能な素材を、山折りと谷折りを交互に繰り返して折り曲げることにより蛇腹形状としてのち、更に、その山折り部分又は谷折り部分を形成する二つの側面の一方の面に第一の図柄を印刷により付与し、他方の面に第二の図柄を印刷により付与することで、二方向に夫々異なる図柄を表示することのできる広告表示体が開示されている。作製した広告表示体は、正面方向に対して右の斜め方向から視認した場合と、左の斜め方向から視認した場合において、各々異なる図柄を視認することが可能となる。
【先行技術文献】
【特許文献】
【０００５】
【特許文献１】特許第４３０４３５６号公報
【特許文献２】特開２００７−８６６５６号公報
【発明の概要】
【発明が解決しようとする課題】
【０００６】
しかしながら、特許文献１において開示された印刷物は、各々凹凸形状を、印刷万線と関連づけて、高さ、形状及び配置を変化させることで潜像模様を付与している。そのため、複雑な凹凸形状に対して精密な位置関係で印刷万線を形成する必要があることから、複製が極めて困難であり、従来の印刷物と比較して非常に偽造防止効果が高い。反面、簡易な作製方法で、同様の効果を有する印刷物、つまり傾けることでカラー画像である潜像模様が得られるよう、更に改善の余地がある。
【０００７】
また、特許文献２において開示された広告表示体は、折り曲げ可能な素材を、山折りと谷折りを交互に繰り返して折り曲げることで表示面を蛇腹形状に形成している。そのため、山折りと谷折り可能な程度に蛇腹形状のピッチを大きくする必要があり、作製された広告表示体は、店頭に設置する看板、ポスター等比較的大きなものに限定される。また、広告表示体を、前述した特許文献１にように、大きさを小さく設計した際においても、蛇腹形状のピッチを大きくする必要があることから、正面から観察した場合には、各々異なる図柄は単純に重畳された画像として視認されてしまい、二つの画像の隠蔽性はともに低く、偽造防止効果は無い。
【０００８】
本発明は、上記課題の解決を目的とするものであり、具体的には、基材上に形成した凹凸形状と、印刷要素を用いて、従来よりも簡易な作製方法により、かつ、緻密なレリーフによって、傾けることでカラー画像が二種類出現し、さらに正面から視認した場合には、カムフラージュ画像が出現する印刷物を提供することにある。
【課題を解決するための手段】
【０００９】
前述の目的を達成するために、請求項１記載の発明は、基材上における少なくとも一部の領域に凸状万線が形成され、凸状万線の側部に第一の要素及び第二の要素が複数配置され、第一の画像、第二の画像及びカムフラージュ画像が形成された潜像模様形成体であって、凸状万線は、各々が第一の側部及び第二の側部を有して配置され、第一の要素は、第一の画像の原画像である第一の原画像を複数画線状に分割したものであり、第一の要素が少なくとも一部の第一の側部に配置されることで第一の画像が形成され、第二の要素は、第二の画像の原画像である第二の原画像を複数画線状に分割したものであり、第二の要素が、少なくとも一部の第二の側部に配置されることで第二の画像が形成され、複数配置された第一の要素及び第二の要素のうち、少なくとも一部が一つの凸状万線に対応して配置され、対応して配置された第一の要素及び第二の要素により、カムフラージュ画像が形成され、第一の画像は、基材に対して第一の観察角度から視認可能な画像であり、第二の画像は、基材に対して第二の観察角度から視認可能な画像であり、カムフラージュ画像は、基材に対して第三の観察角度から視認可能な画像であることを特徴とする。
【００１０】
また、請求項２の発明は、請求項１記載の特殊潜像模様形成体において、第一の要素及び前記第二の要素は、前記第一の原画像及び前記第二の原画像に対応した配列で配置されることを特徴とする。
【００１１】
また、請求項３の発明は、請求項１又は２記載の特殊潜像模様形成体において、第一の要素及び第二の要素が対応して配置されている凸状万線において、各々の凸状万線における第一の要素及び第二の要素は、要素の長さが等しく、かつ、すべてが対応して配置されていることを特徴とする。
【００１２】
また、請求項４の発明は、請求項３記載の特殊潜像模様形成体において、複数配置された第一の要素及び第二の要素は、要素の長さが全て等しいことを特徴とする。
【００１３】
また、請求項５の発明は、請求項１又は２記載の特殊潜像模様形成体において、第一の要素及び第二の要素が対応して配置されている凸状万線において、各々の凸状万線における第二の要素は、要素の長さが第一の要素の長さより短く、かつ、第一の要素に対応して配置されることを特徴とする。
【００１４】
また、請求項６の発明は、請求項１乃至５のいずれか一項記載の特殊潜像模様形成体において、第一の要素及び第二の要素は、一つの要素内において網点及び／又は画素が複数配置されたことを特徴とする。
【００１５】
また、請求項７の発明は、請求項１乃至６のいずれか一項記載の特殊潜像模様形成体において、凸状万線に配置した、各要素のピッチは、３００〜１０００μｍであることを特徴とする。
【００１６】
さらに、請求項８の発明は、請求項１乃至７のいずれか一項記載の特殊潜像模様形成体において、凸状万線は、凹版印刷、スクリーン印刷、エンボス、すき入れ又はレーザ加工により基材上に形成されたことを特徴とする。
【発明の効果】
【００１７】
以上のような構成の本発明に係る印刷物は、基材に対して斜めに、例えば、上方から観察すると第一の画像が観察でき、反対に、例えば、下方から観察すると、第二の画像が観察でき、更に、正面から観察すると、略同一な濃度を有するカムフラージュ画像が観察可能となる。また、本発明の基材に形成した凹凸形状は、レリーフ模様を有しないことから、位相を異ならせる必要が無い。そのことから、凹凸形状のピッチを狭く設定することが可能であり、従来よりも緻密な潜像模様を連続階調画像として形成することが可能となる。
【図面の簡単な説明】
【００１８】
【図１】本発明にかかわる特殊潜像模様形成体（１）を示す平面図の一例。
【図２】本発明にかかわる特殊潜像模様形成体（１）を示す模式図の一例。
【図３】本発明にかかわる形成体（１）が形成された基材（２）を、可視光源下で観察した際の視点（Ｅ１、Ｅ２、Ｅ３）及び基材（２）の位置関係を示す図。
【図４】本発明にかかわる特殊潜像模様形成体（１）を構成する本要素構成の第一実施形態を示す模式図。
【図５】本発明にかかわる凸状万線（３）の形状を示す断面図。
【図６】本発明にかかわる第一の要素（１０）及び第二の要素（１１）を示す模式図。
【図７】本発明にかかわる一つの第一の要素（１０）を抽出した模式図。
【図８】本発明にかかわる第一の画像（７）を示す平面図。
【図９】本発明にかかわる複数の第一の要素（１０）又は第二の要素（１１）を、所定の配列順序で配置した場合を示す模式図。
【図１０】本発明にかかわる特殊潜像模様形成体（１）を構成する本要素構成の第一実施形態を示す模式図。
【図１１】本発明にかかわる第一の要素（１０）、第二の要素（１１）及び凸状万線（３）の位置関係を示す模式図。
【図１２】本発明にかかわる第一の要素（１０）及び第二の要素（１１）が凸状万線（３）に対応して配置した場合の、第一の画像（７）、第二の画像（８）及びカムフラージュ画像（９）を示す平面図。
【図１３】本発明にかかわる第一要素構成における特殊潜像模様形成体（１）が形成された基材（２）を、第一の観察角度（Ｅ１）から観察した際の平面図及び断面図を示す図。
【図１４】本発明にかかわる第一要素構成における特殊潜像模様形成体（１）が形成された基材（２）を、第二の観察角度（Ｅ２）から観察した際の平面図及び断面図を示す図。
【図１５】本発明にかかわる第一要素構成における特殊潜像模様形成体（１）が形成された基材（２）を、第三の観察角度（Ｅ３）から観察した際の平面図及び断面図を示す図。
【図１６】本発明に関わる実施例を示す模式図。
【図１７】本発明に関わる実施例により作製した特殊潜像模様形成体（１）を、可視光源下における第一の観察角度（Ｅ１）、第二の観察角度（Ｅ２）及び第三の観察角度（Ｅ３）から観察した平面図。
【発明を実施するための形態】
【００１９】
本発明の実施形態について図面を用いて説明する。しかしながら、本発明は、以下に述べる実施するための形態に限定されるものではなく、特許請求の範囲記載における技術的思想の範囲内であれば、その他色々な形態が実施可能である。
【００２０】
図１は、本発明における特殊潜像模様形成体（以下「形成体」という。）を示す平面図の一例である。図１（ａ）は、本発明の形成体が付与された、偽造防止印刷物（Ｓ）の一例として商品券を示す平面図である。偽造防止印刷物（Ｓ）は、紙、プラスチックカード等の基材（２）上に、店舗名、券種等が、シアン、マゼンタ等の一般的に用いられるインキにより付与されている。偽造防止印刷物（Ｓ）には、少なくとも基材（２）上における少なくとも一部の領域（Ｚ）に形成体（１）が付与されている。形成体（１）は、カラー画像として凸状万線（３）及び一般的に用いられるシアン（Ｃ）、マゼンタ（Ｍ）、イエロー（Ｙ）、ブラック（Ｂｋ）等の印刷インキにより形成している。
【００２１】
図１（ｂ）、図１（ｃ）及び図１（ｄ）は、図１（ａ）に示した形成体（１）が付与された領域（Ｚ）の拡大図である。図１（ａ）に示した形成体（１）には、図１（ｂ）に示す第一の画像（７）及び図１（ｃ）に示す第二の画像（８）と、更に、図１（ｄ）に示す、第一の画像（７）及び第二の画像（８）を合成したカムフラージュ画像（９）が形成されている。
【００２２】
形成体（１）に各画像を形成することで、一定の観察角度においては、いずれか一つの画像しか視認することができないが、観察角度を変化させることで、その観察角度ごとに、異なる画像を視認することが可能となる。
【００２３】
なお、以降、本発明の実施形態について用いる図は、説明をわかりやすくするために、図２（ａ）を、少なくとも基材（２）上における少なくとも一部の領域（Ｚ）に付与された形成体（１）とし、図２（ｂ）を第一の画像（７）とし、図２（ｃ）を第二の画像（８）とし、更に、図２（ｄ）を、第一の画像（７）及び第二の画像（８）を合成したカムフラージュ画像（９）と、各々模式的に説明する。
【００２４】
図３は、本発明における形成体（１）が形成された基材（２）を、可視光源下で観察した際の視点（Ｅ１、Ｅ２、Ｅ３）及び基材（２）の位置関係を示す図である。なお、凸状万線（図示せず）は、基材（２）表面上における第一の方向（Ｘ）に複数配置されている。
異なる画像を視認することが可能な観察角度とは、基材（２）に対して下方、上方及び正面から観察した際の観察角度である。本発明においては、基材（２）に対して視点が（Ｅ１）に示す位置関係にあるとき、下方（以下「第一の観察角度（Ｅ１）」という。）から観察したこととし、視点が（Ｅ２）に示す位置関係にあるとき、上方（以下「第二の観察角度（Ｅ２）」という。）から観察したこととし、更に、視点が（Ｅ３）に示す位置関係にあるとき、正面（以下「第三の観察角度（Ｅ３）」という。）で観察したこととする。
【００２５】
図２（ａ）に示した形成体（１）は、基材（２）に対して第一の観察角度（Ｅ１）から観察すると、図２（ｂ）に示す第一の画像（７）が視認でき、また、第二の観察角度（Ｅ２）から観察すると、図２（ｃ）に示す第二の画像（８）が視認可能である。さらに、第三の観察角度（Ｅ３）から観察すると、図２（ｄ）に示す、第一の画像（７）及び第二の画像（８）を合成したカムフラージュ画像（９）を視認することが可能である。なお、形成体（１）を構成する要素構成については後述する。
【００２６】
（本発明における本要素構成の第一実施形態）
図４（ａ）は、本発明における形成体（１）を構成する本要素構成の第一実施形態（以下「第一要素構成」という。）を示す模式図であり、図４（ａ）は、形成体（１）における平面図である。図４（ａ）に示すように、少なくとも基材（２）上における一部の領域（Ｚ）に、凸状万線（３）が形成されている。凸状万線（３）は、第一の方向（Ｘ）に第一のピッチ（ｄ）で配置されている。
【００２７】
凸状万線（３）における第一のピッチ（ｄ）とは、印刷方式、用いる基材（２）等を考慮して適宜設定されるものであるが、３００〜１０００μｍとすることが好ましい。第一のピッチ（ｄ）が、３００μｍ未満である場合には、後述する第一の要素（１０）及び／又は第二の要素（１１）を、一つの要素内において、網点及び／又は画素によって表現する際に、必要な面積を充分に得られない場合があり好ましくない。
【００２８】
反対に、第一のピッチ（ｄ）が、１０００μｍ以上である場合には、形成体（１）を第三の観察角度（Ｅ３）から視認した際に、第一の要素（１０）及び第二の要素（１１）の一つ一つを肉眼で識別することが可能となり、カムフラージュ画像（９）が、一様な濃度として視認することができないという問題点があり好ましくない。このことから、第一のピッチ（ｄ）とは、３００〜１０００μｍとすることが好ましい。
【００２９】
なお、図４（ｂ）において、第一のピッチ（ｄ）は同一ピッチとしているが、それに限らず、前述した３００〜１０００μｍの範囲内であれば、適宜設定することが可能である。
【００３０】
凸状万線（３）は、基材（２）上に、凹版印刷、スクリーン印刷、エンボス、すき入れ、レーザ加工等により形成する。凹版印刷、スクリーン印刷等による凸状万線（３）の形成は、基材（２）に対して凹版印刷、スクリーン印刷等、所望の印刷方法に適した版面及びインキを用いて印刷を行い、インキの盛りにより凸形状を形成し、その凸形状を凸状万線（３）とする。
【００３１】
エンボスによる凸状万線（３）の形成は、所望の凸状万線（３）の大きさに合わせた、凹型及び凸型を用いて、基材（２）を、凹型及び凸型で挟み込み圧力を加えることで、基材（２）上に、凹形状（基材（２）に対して凹ませる）又は凸形状（基材（２）に対して突起させる）を形成し、その凹形状又は凸形状を凸状万線（３）とする。なお、凹形状においては、前述の通り、基材（２）の一部を凹ませることで凸状万線（３）を形成することとなるが、本発明においては、総称して凸状万線（３）と呼ぶ。
【００３２】
すき入れによる凸状万線（３）の形成は、基材（２）を紙とした際に、製造装置である抄紙機上における、ダンディロール部、円網部、プレスパート部等において、紙の原材料（紙料）を排除（凹部）又は増加（凸部）することで形成する。なお、凹部においては、前述の通り、紙料を排除することで凸状万線（３）を形成することとなるが、本発明においては、総称して凸状万線（３）と呼ぶ。
【００３３】
レーザ加工により凸状万線（３）の形成は、基材（２）の一部を、所望のレーザ加工装置を用いて、レーザ除去することにより形成する。つまり、基材（２）の一部に凹部を形成することで凸状万線（３）を形成することとなるが、本発明においては、作製方法に関わらず、総称して凸状万線（３）と呼ぶ。
【００３４】
凸状万線（３）を、エンボス、すき入れ及びレーザ加工により基材（２）に形成する場合において、透明度の高い基材（２）、例えば無色透明フィルム等を用いることは好ましくない。透明度の高い基材（２）を用いると、後述するが、凸状万線（３）により各々の要素が遮蔽することで画像が出現するという効果は生じなくなる。しかしながら、基材に、着色繊維、染料等が混入された有色透明基材については、各々の要素を遮蔽する効果が生じるものもあることから、適宜選択するものとする。
【００３５】
なお、図４（ａ）において、第一の観察角度（Ｅ１）から視認した場合の凸状万線（３）の形状は、直線状の直万線としているが、波線状の波万線とすることも可能である。
【００３６】
同様に、凸状万線（３）を、印刷により基材（２）に形成する場合において、透明インキを用いることは好ましくない。透明インキを用いると、後述するが、凸状万線（３）により各々の要素が遮蔽することで画像が出現するという効果は生じなくなる。しかしながら、顔料、染料等が混入された有色透明インキについては、各々の要素を遮蔽する効果が生じるものもあることから、適宜選択するものとする。
【００３７】
図４（ｂ）は、本発明における図４（ａ）に示した基材（２）を、Ｂ−Ｂ’部分で第一の方向（Ｘ）に切断した断面図である。図４（ｂ）に示すように、基材（２）における底部（１２）から、垂直する方向に高さを有する凸状万線（３）を形成する。第一の方向（Ｘ）に第一のピッチ（ｄ）で複数配置された凸状万線（３）は、各々が第一の側部（４）、第二の側部（５）及び頂上部（６）を有している。第一の側部（４）及び第二の側部（５）は、第一の方向（Ｘ）と垂直する方向に対し、同じ高さの頂上部（６）を繋いだ直線に対し、対となる関係である。
【００３８】
前述した第一の観察角度（Ｅ１）から観察した場合、凸状万線（３）における第一の側部（４）は、隣り合う凸状万線（３）の影となることなく観察可能である。一方、第二の側部（５）は、隣り合う凸状万線（３）の影となり、視認することができない。また、第二の観察角度（Ｅ２）から観察した場合、凸状万線（３）における第二の側部（５）は、隣り合う凸状万線（３）の影となることなく観察可能である。一方、第一の側部（４）は、隣り合う凸状万線（３）の影となり、視認することができない。さらに、第三の観察角度（Ｅ３）から観察した場合、凸状万線（３）における第一の側部（４）及び第二の側部（５）は、隣り合う凸状万線（３）の影となることなく観察可能である。
【００３９】
図５は、本発明における凸状万線（３）の形状を示す断面図である。凸状万線（３）の断面形状は、図４（ｂ）において示した台形状に限定されず、図５に示した各種の形状とすることが可能である。例えば、図５（ａ）に示すように、凸状万線（３）の断面形状は、図４（ｂ）と同一形状だが、それぞれの凸状万線（３）のピッチである第一のピッチ（ｄ）を狭くしても良い。第一のピッチ（ｄ）を狭くすることで、図５（ａ）及び後述する図５（ｃ）に示すように、基材（２）から凸状万線（３）が隆起する際の底部（１２）を、面状ではなく点状とすることも可能である。
【００４０】
また、図５（ｂ）に示すように、非対称形状や、図５（ｃ）、図５（ｄ）及び図５（ｅ）に示すように、凸状万線（３）における頂上部（６）を、面状ではなく点状とすることも可能であり、更には、図５（ｆ）及び図５（ｇ）に示すように、半円状としても良い。半円状とした場合の第一の側部（４）及び第二の側部（５）は、同じ高さの頂上部（６）を繋いだ直線に対し、対となるように、一方を第一の側部（４）とし、他方を第二の側部（５）とする。
【００４１】
さらには、図５（ｉ）に示すように、凸状万線（３）の形状は、一つ一つが異なる形状とすることも可能であり、また、図５（ｊ）に示すように、隣り合う一つの凸状万線（３）のピッチが一定でない構成とすることも可能である。その場合において、一つ一つのピッチは、３００〜１０００μｍの範囲内とする。
【００４２】
図６及び図７は、本発明における第一の要素（１０）及び第二の要素（１１）を示す模式図である。以降、一例として本発明における第一の要素（１０）について説明する。なお、図６及び図７においては、一例として前述した第一の観察角度（Ｅ１）からの視認した際に、図８に示す、第一の画像（７）が視認可能となる形成体（１）について説明する。
【００４３】
まず、第一の原画像（７’）を準備する。図６（ａ）は、第一の原画像（７’）を示す図である。第一の原画像（７’）は、第一の観察角度（Ｅ１）から視認可能な第一の画像（７）の元となる原画像である。一例として第一の原画像（７’）は、連続階調により表現された、連続階調画像とする。
【００４４】
次に、第一の原画像（７’）を、複数画線状に分割する。図６（ｂ）は、一例として、図６（ａ）に示した第一の原画像（７’）を、第一の方向（Ｘ）と直交する方向に画線幅（Ｄ１）で、複数画線状に１６分割した模式図である。第一の原画像（７’）を複数画線状に分割することで、配列（１０’）を形成する。配列（１０’）を形成する、第一の原画像（７’）を複数画線状に分割した一つ一つが、本発明における第一の要素（１０ａ、１０ｂ、１０ｃ、１０ｄ、・・・・、１０ｏ、１０ｐ）となる。図６（ｂ）に示した第一の要素（１０ａ、１０ｂ、１０ｃ、１０ｄ、・・・・、１０ｏ、１０ｐ）は、各々が要素内において、分割した領域ごとに、図６（ａ）に示した第一の原画像（７’）の連続階調に対応した階調を有する。
【００４５】
なお、第一の原画像（７’）を複数画線状に分割する方向は、第一の方向（Ｘ）と直交する方向に限らず、第一の方向（Ｘ）と平行する方向、第一の方向（Ｘ）に対して、３０度傾いた方向（図示せず）等、適宜設定することが可能である。
【００４６】
前述の通り、第一の要素（１０）は、凸状万線（３）における第一の側部（４）に付与する。そのため、第一の要素（１０）を付与した場合に、第一の側部（４）から第一の要素（１０）がはみ出し、凸状万線（３）における第一の側部（４）以外の個所に付与されないように、画線幅（Ｄ１）は適宜設定する必要がある。
【００４７】
なお、図６（ｂ）においては、同じ画線幅（Ｄ１）で１６分割したが、前述の通り、第一の側部（４）から第一の要素（１０）がはみ出さないのであれば、第一の原画像（７’）を第一の方向（Ｘ）に分割する数及び／又は画線幅（Ｄ１）は、１６分割及び／又は同じ画線幅に限らず、各々適宜設定することが可能である。このように、第一の原画像（７’）を、画線幅（Ｄ１）で第一の方向（Ｘ）に複数分割することで、図６（ｂ）に示すように、配列（１０’）が形成される。
【００４８】
図７（ａ）は、図６（ｂ）に示した配列（１０’）を形成する複数の第一の要素（１０ａ、１０ｂ、１０ｃ、１０ｄ、・・・・、１０ｏ、１０ｐ）における一つの第一の要素（１０ｂ）を抽出した模式図であり、図７（ｂ）は、その一部（Ｌ１）を拡大した模式図であり、図７（ｃ）は、更に、その一部（Ｌ２）を拡大した模式図である。図７（ｃ）に示すように、第一の要素（１０ｂ）は、前述した第一の原画像（７’）の階調に併せて、網点がランダムに複数配置された群となる。なお、図７（ｃ）においては、網点により群を形成しているが、画素のみ又は画素及び網点がランダムに複数配置された群とすることも可能である。
【００４９】
以上、第一の要素（１０）について説明したが、本発明においては、第二の要素（１１）についても、同様に形成する。なお、その際には、第一の原画像（７’）とは異なる原画像である第二の原画像（図示せず）を用いて形成する。
【００５０】
次に、第一の要素（１０）及び第二の要素（１１）を、基材（２）上に配置する配列順序について説明する。図９は、本発明における複数の第一の要素（１０）又は第二の要素（１１）を、所定の順序で配置した場合を示す模式図である。図９及び後述する図１１においては、第一の要素（１０）を一例として説明する。
【００５１】
第一の原画像（７’）を複数画線状に分割することで、配列（１０’）を形成する。配列（１０’）を形成する、第一の原画像（７’）を複数画線状に分割した一つ一つである第一の要素（１０ａ、１０ｂ、１０ｃ、１０ｄ、・・・・、１０ｏ、１０ｐ）は、第一の原画像（７’）に対応した順序で、一つずつ第一の側部（４）に配置されることで、第一の画像（７）が形成される。
【００５２】
第一の原画像（７’）に対応した配列とは、図６（ａ）及び図６（ｂ）において前述した配列（１０’）を形成する、複数の第一の要素（１０ａ、１０ｂ、１０ｃ、１０ｄ、・・・・、１０ｏ、１０ｐ）における、連続した１０ａ、１０ｂ、１０ｃ、１０ｄという順序のことである。
【００５３】
図９（ａ）は、本発明における凸状万線（３）に、複数配置された第一の要素（１０ａ、１０ｂ、１０ｃ、１０ｄ）が、各々、一つずつ第一の側部（４ａ、４ｂ、４ｃ、４ｄ）に配置された基材（２）を、一部拡大した模式図である。図９（ａ）に示すように、少なくとも基材（２）上における一部の領域（Ｚ）に、凸状万線（３）が形成されている。凸状万線（３）は、一つ一つが第一の方向（Ｘ）に配置され、例えば、図９（ａ）においては、第一の方向（Ｘ）に、３ａ、３ｂ、３ｃ、３ｄという配列で配置されている。
【００５４】
図９（ｂ）は、配列（１０’）を示す図である。図９（ｂ）に示した配列（１０’）は、図６（ｂ）と同様に、第一の原画像（７’）を、画線幅（Ｄ１）で画線状に第一の方向（Ｘ）に１６分割し、形成されている。
【００５５】
配列（１０’）を形成する、複数の第一の要素（１０ａ、１０ｂ、１０ｃ、１０ｄ、・・・・、１０ｏ、１０ｐ）を、第一の原画像（７’）を複数画線状に分割した際の、対応した順序で、一つずつ第一の側部（４ａ、４ｂ、４ｃ、４ｄ）に配置する。例えば、図９（ｂ）で示す、配列（１０’）を形成する、複数の第一の要素（１０ａ、１０ｂ、１０ｃ、１０ｄ、・・・・、１０ｏ、１０ｐ）のうち、連続する四つの第一の要素（１０ａ、１０ｂ、１０ｃ、１０ｄ）を、各々、図９（ａ）に示す第一の側部（４ａ、４ｂ、４ｃ、４ｄ）に、連続した配列のままで、一つずつ配置するというように、複数の第一の要素（１０ａ、１０ｂ、１０ｃ、１０ｄ、・・・・、１０ｏ、１０ｐ）を形成する際に、前述した図６（ｂ）に示した第一の原画像（７’）を、画線幅（Ｄ１）で複数画線状に分割した際の、連続した１０ａ、１０ｂ、１０ｃ、１０ｄという第一の原画像（７’）に対応した順序を保ちながら、凸状万線（３）における第一の側部（４ａ、４ｂ、４ｃ、４ｄ）に配置することである。
【００５６】
他の形態としては、図９（ｂ）に示すように、第一の原画像（７’）に対応した順序を保っているのであれば、前述した連続した順序において、１０ａ、１０ｃ、１０ｅ・・・・１０ｏと一つずつ飛ばしながら配置することも可能である。前述の通り、第一の要素（１０）は、凸状万線（３）における第一の側部（４）に、一つずつ配置することから、画線幅（Ｄ１）は、凸状万線（３）における第一のピッチ（ｄ）を考慮した上で適宜設定し、６０〜２００μｍが用いられる。そのため、肉眼においては、図９（ａ）に示すように、１０ａ、１０ｂ、１０ｃ、１０ｄ・・・・１０ｐと配置した場合も、１０ａ、１０ｃ、１０ｅ・・・・１０ｏと一つずつ飛ばしながら配置（図示せず）した場合も、第一の観察角度（Ｅ１）から観察した際に、第一の画像（７）を視認することが可能となる。
【００５７】
なお、第一の原画像（７’）に対応した配列順序を保っているのであれば、二本以上飛ばしながら配置することも可能である。その場合においては、第一の要素（１０）における画線幅（Ｄ１）、第一の画像（７）の大きさ及び第一の観察角度（Ｅ１）からの視認性を適宜考慮し、何本飛ばすかを設定する。なお、図９においては、第一の要素（１０）を一例として説明したが、第二の要素（１１）についても、同様に形成することが可能である。
【００５８】
図１０は、図４と同様に、本発明における形成体（１）を構成する本要素構成の第一実施形態を示す模式図であり、図１０（ａ）は、形成体（１）における平面図である。図１０（ｂ）は、本発明における図１０（ａ）に示した基材（２）を、Ａ−Ａ’部分で第一の方向（Ｘ）に切断した断面図である。図１０（ｂ）に示すように、基材（２）上において、凸状万線（３）における第一の側部（４）には、前述のとおり、第一の要素（１０）を、第一の原画像（図示せず）に対応した配列で配置する。
【００５９】
前述の通り、第一の画像（７）は、第一の観察角度（Ｅ１）において視認可能な画像である。そのことから、第一の要素（１０）は、第一の観察角度（Ｅ１）において、隣り合う凸状万線（３）の影となることなく観察可能な、第一の側部（４）に複数配置する。
【００６０】
凸状万線（３）における第二の側部（５）には、第二の要素（１１）を、第二の原画像（図示せず）に対応した配列で配置する。前述の通り、第二の画像（８）は、第二の観察角度（Ｅ２）において視認可能な画像である。そのことから、第二の要素（１１）は、第二の観察角度（Ｅ２）において、隣り合う凸状万線（３）の影となることなく観察可能な、第二の側部（５）に複数配置する。
【００６１】
次に、第一の画像（７）及び第二の画像（８）が、少なくとも一部重複された領域について説明する。図１１は、本発明における第一の要素（１０）、第二の要素（１１）及び凸状万線（３）の位置関係を示す模式図である。
【００６２】
図１１（ａ）、図１１（ｂ）、図１１（ｃ）及び図１１（ｄ）に示す位置関係は、図１１（ｅ）に示すように、凸状万線（３）に複数配置された第一の要素（１０）及び第二の要素（１１）における、一つの凸状万線（３）を、第三の観察角度（Ｅ３）から観察した際の拡大図である。
【００６３】
本発明における対応して配置とは、図１１（ａ）、図１１（ｂ）及び図１１（ｃ）に示すように、複数配置された第一の要素（１０）及び第二の要素（１１）のうち、一つの凸状万線（３）に配置した一つの第一の要素（１０）及び第二の要素（１１）が、凸状万線（３）における同じ高さの頂上部（６）を繋いだ直線に対し、対となるように配置していることを指す。なお、図１１（ｄ）は、第一の要素（１０）及び第二の要素（１１）が対応して配置していない場合を示す模式図である。
【００６４】
図１１（ａ）に示すように、第一の要素（１０）及び第二の要素（１１）が対応して配置されている凸状万線（３）において、各々の凸状万線（３）における第一の要素（１０）及び第二の要素（１１）の長さを等しく、かつ、すべてが対応して配置されたことで、第一の画像（７）、第二の画像（８）及び後述するカムフラージュ画像（９）は、前述した図２に示すような、すべて重複した領域に形成され、かつ、形状及び大きさが同一となる。
【００６５】
図１２は、本発明における第一の要素（１０）及び第二の要素（１１）が凸状万線（３）に対応して配置した場合の、第一の画像（７）、第二の画像（８）及びカムフラージュ画像（９）を示す平面図である。
【００６６】
図１２（ａ）においては、前述した図２と同様に、図１１（ａ）に示すように、第一の要素（１０）及び第二の要素（１１）が配置されている。つまり、第一の要素（１０）及び第二の要素（１１）が対応して配置されている凸状万線（３）において、各々の凸状万線（３）における第一の要素（１０）及び第二の要素（１１）は、要素の長さが等しく、かつ、すべてが対応して配置されている。
【００６７】
前述した図２においては、複数配置された第一の要素（１０）及び第二の要素（１１）は、要素の長さが全て等しいとしている。それにより、観察角度を変化させることで観察可能な、第一の画像（７）、第二の画像（８）及びカムフラージュ画像（９）は、すべて領域（Ｚ）内における同じ位置に、同じ大きさで、四角形状に観察可能となる。
【００６８】
一方、図１２（ａ）に示した、第一の要素（図示せず）及び第二の要素（図示せず）が対応して配置されている凸状万線（図示せず）において、各々の凸状万線における前記第一の要素（図示せず）及び第二の要素（図示せず）は、要素の長さが等しく、かつ、すべて対応して配置されている。それにより、観察角度を変化させることで観察可能な、第一の画像（７）、第二の画像（８）及びカムフラージュ画像（９）は、すべて領域（Ｚ）内における同じ位置に、同じ大きさで観察可能となるが、図２に示す四角形状の画像ではなく、一例として、三角形状の画像が視認される。
【００６９】
図１１（ｂ）及び図１１（ｃ）は、第一の画像（７）及び第二の画像（８）が、一部重複した領域における、第一の要素（１０）及び第二の要素（１１）を示す。本発明における少なくとも一部が対応して配置とは、図１１（ｂ）及び図１１（ｃ）に示すように、複数配置された第一の要素（１０）及び第二の要素（１１）のうち、一つの凸状万線（３）に配置した一つの第一の要素（１０）及び第二の要素（１１）が、凸状万線（３）おける同じ高さの頂上部（６）を繋いだ直線に対し、少なくとも一部分が向かい合うように配置していることを指す。向かい合う部分が一部である場合には、第一の画像（７）及び第二の画像（８）は、一部重複した領域を形成する。
【００７０】
図１２（ｂ）においては、図１１（ｃ）に示すように、第一の要素（１０）及び第二の要素（１１）が配置されている。複数配置された第一の要素（１０）及び第二の要素（１１）のうち、少なくとも一部が一つの凸状万線（３）に対応して配置されている。
【００７１】
さらに、第一の要素（１０）及び第二の要素（１１）が対応して配置されている凸状万線（３）において、各々の凸状万線（３）における第二の要素（１１）は、要素の長さが第一の要素（１０）の長さより短く、かつ、第一の要素（１０）に対応して配置されている。
【００７２】
それにより、図１２（ｂ）に示すように、観察角度を変化させることで観察可能な、第一の画像（７）、第二の画像（８）及びカムフラージュ画像（９）は、すべて領域（Ｚ）内における、一部重複した領域に視認されるが、第二の画像（８）においては、第一の画像（７）が視認される領域内において、視認される。
【００７３】
前述のとおり、カムフラージュ画像（９）は、第一の画像（７）及び第二の画像（８）の合成画像であるが、図１２（ｂ）においては、第一の画像（７）及び第二の画像（８）が重複しない領域、つまり、第一の画像（７）のみで形成された領域を含む。カムフラージュ画像（９）内における第一の画像（７）のみで形成された領域は、第一の要素（１０）のみで形成されることになり、後述するが、略同一な濃度として視認することはできないが、カムフラージュ画像（９）の視認性を低下させないように、第一の画像（７）のみで形成された領域の大きさ、配置場所等は適宜設定する。
【００７４】
図１２（ｂ）においては、第一の画像（７）が視認される領域内に第二の画像（８）が視認されるように、第一の要素（１０）及び第二の要素（１１）を配置したが、反対に、第二の画像（８）が視認される領域内に第一の画像（７）が視認されるように、第一の要素（１０）及び第二の要素（１１）を配置することも可能である。その場合においては各要素の長さ及び配置場所は適宜設定する。
【００７５】
図２、図１２（ａ）及び図１２（ｂ）において、第一の画像（７）、第二の画像（８）及びカムフラージュ画像（９）は、各々大きさは同じ又は異なるが、同一形状の画像としていたが、図１１（ａ）、図１１（ｂ）及び図１１（ｃ）に示すように、複数配置された第一の要素（１０）及び第二の要素（１１）のうち、少なくとも一部が一つの凸状万線（３）に対応して配置されているのであれば、図１２（ｃ）に示すように、第一の画像（７）、第二の画像（８）及びカムフラージュ画像（９）を異なる形状及び大きさの画像とすることも可能である。
【００７６】
前述の通り、本発明における凸状万線（３）に配置した第一の要素（１０）及び第二の要素（１１）のピッチは、３００〜１０００μｍである。そのことから、第一の画像（７）及び第二の画像（８）が重複した領域においては、第一の原画像（７’）を第一の方向（Ｘ）に複数画線状に分割し、形成された第一の要素（１０）と、第二の原画像（８’）を第一の方向（Ｘ）に複数画線状に分割し、形成された第二の要素（１１）が混色して視認される。つまり、肉眼では、第三の観察角度（Ｅ３）から視認した場合、第一の要素（１０）及び第二の要素（１１）により形成されたカムフラージュ画像（９）は、略同一の濃度を有する画像として視認される。なお、カムフラージュ画像（９）の視認原理については、後で詳細に説明する。
【００７７】
（第一要素構成における各画像の視認原理）
本発明に関わる形成体（１）を、観察角度を変化させ観察した際の、視認原理について説明する。なお、後述する視認原理を説明する図１３、図１４及び図１５においては、図２において示したように、基材（２）上における領域（Ｚ）において、第一の画像（７）及び第二の画像（８）は、すべて重複した領域に形成し、かつ、第一の画像（７）、第二の画像（８）及びカムフラージュ画像（９）は、形状及び大きさを同一とした。
【００７８】
まず、本発明に関わる第一要素構成における形成体（１）を、第一の観察角度（Ｅ１）から観察した際の視認原理について説明する。図１３は、本発明における基材（２）上の領域（Ｚ）に付与された形成体（１）を、第一の観察角度（Ｅ１）から観察した際の平面図及び断面図を示す図である。
【００７９】
（第一の観察角度（Ｅ１）から観察）
形成体（１）を第一の観察角度（Ｅ１）から観察した際の、視認原理について説明する。図１３（ａ）に示すように、形成体（１）を第一の観察角度（Ｅ１）から観察した際には、第一の画像（７）は観察可能だが、第二の画像（８）及びカムフラージュ画像（９）は凸状万線（３）の影となり観察することができない。
【００８０】
図１３（ｂ）は、本発明にかかわる図１３（ａ）に示した形成体（１）を、第一の方向（Ｘ）に切断したＡ−Ａ’断面図である。第一の観察角度（Ｅ１）から観察した場合、凸状万線（３）における第一の側部（４）は、隣り合う凸状万線（３）の影となることなく観察可能である。つまり、複数配置された第一の要素（１０）は観察可能である。一方、第二の側部（５）は、隣り合う凸状万線（３）の影となり、視認することができない。つまり、複数配置された第二の要素（１１）は観察することができない。
【００８１】
図１３（ｂ）に示した、第一の画像（７）及び第二の画像（８）を形成した領域内における凸状万線（３）は、第一の側部（４）に第一の要素（１０）が付与され、第二の側部（５）に第二の要素（１１）が付与されている。つまり、第一の原画像（図示せず）に対応した配列順序で配置した第一の要素（１０）は、すべて視認することが可能である。一方、複数配置した第二の要素（１１）は、すべて視認することができない。
【００８２】
このように、形成体（１）を第一の観察角度（Ｅ１）から観察した際には、第一の側部（４）のみが観察可能となり、第一の側部（４）に付与した第一の要素（１０）のみが視認可能となる。なお、前述の通り、本発明においては凸状万線（３）のピッチは３００〜１０００μｍと狭いことから、複数配置された第一の要素（１０）は、その一つ一つを肉眼で識別することができなくなり、集合体として視認される。つまり、肉眼では、第一の画像（７）の原画像である第一の原画像（図示せず）を複数画線状に分割し、形成した第一の要素（１０）により形成された第一の画像（７）が視認される。
【００８３】
（第二の観察角度（Ｅ２）から観察）
次に、本発明に関わる第一要素構成における形成体（１）を、第二の観察角度（Ｅ２）から観察した際の視認原理について説明する。図１４は、本発明における基材（２）上の領域（Ｚ）に付与された形成体（１）を、第二の観察角度（Ｅ２）から観察した際の平面図及び断面図を示す図である。図１４（ａ）に示すように、基材（２）を第二の観察角度（Ｅ２）から観察した際には、第二の画像（８）は観察可能だが、第一の画像（７）及びカムフラージュ画像（９）は観察することができない。
【００８４】
図１４（ｂ）は、本発明にかかわる図１４（ａ）に示した形成体（１）を、第一の方向（Ｘ）に切断したＡ−Ａ’断面図である。第二の観察角度（Ｅ２）から観察した場合、凸状万線（３）における第二の側部（５）は、隣り合う凸状万線（３）の影となることなく観察可能である。つまり、複数配置された第二の要素（１１）は観察可能である。一方、第一の側部（４）は、隣り合う凸状万線（３）の影となり、視認することができない。つまり、複数配置された第一の要素（１０）は観察することができない。
【００８５】
図１４（ｂ）に示す、第一の画像（７）及び第二の画像（８）を形成した領域内における凸状万線（３）は、前述のとおり、第一の側部（４）に第一の要素（１０）が付与され、第二の側部（５）に第二の要素（１１）が付与されている。つまり、複数配置した第一の要素（１０）は、すべて視認することができない。一方、第二の原画像（図示せず）に対応した配列順序で配置した第二の要素（１１）は、すべて視認することが可能である。
【００８６】
このように、形成体（１）を第二の観察角度（Ｅ２）から観察した際には、第二の側部（５）のみが観察可能となり、第二の側部（５）に付与した第二の要素（１１）のみが視認可能となる。なお、前述の通り、本発明においては凸状万線（３）のピッチは３００〜１０００μｍと狭いことから、複数配置された第二の要素（１１）は、その一つ一つを肉眼で識別することができなくなり、集合体として視認される。つまり、肉眼では、第二の画像（８）の原画像である第二の原画像（図示せず）を複数画線状に分割し、形成した第二の要素（１１）により形成された第二の画像（８）が視認される。
【００８７】
（第三の観察角度（Ｅ３）から観察）
次に、形成体（１）を第三の観察角度（Ｅ３）から観察した際の、視認原理について説明する。図１５は、本発明における基材（２）上の領域（Ｚ）に付与された形成体（１）を、第三の観察角度（Ｅ３）から観察した際の平面図及び断面図を示す図である。図１５（ａ）に示すように、基材（２）を第三の観察角度（Ｅ３）から観察した際には、第一の画像（７）及び第二の画像（８）が合成されることで形成されたカムフラージュ画像（９）を新たに視認することが可能である。
【００８８】
図１５（ｂ）は、本発明にかかわる図１５（ａ）に示した形成体（１）を、第一の方向（Ｘ）に切断したＡ−Ａ’断面図である。第三の観察角度（Ｅ３）から観察した場合、凸状万線（３）における第一の側部（４）及び第二の側部（５）は、いずれも隣り合う凸状万線（３）の影となることなく観察可能である。つまり、複数配置された第一の要素（１０）及び第二の要素（１１）は、いずれも視認可能である。
【００８９】
図１５（ｂ）に示す、第一の画像（７）及び第二の画像（８）を形成した領域内における凸状万線（３）は、前述のとおり第一の側部（４）に第一の要素（１０）が付与され、第二の側部（５）には第二の要素（１１）が付与されている。つまり、複数配置された第一の要素（１０）及び第二の要素（１１）は、すべて視認することが可能である。
【００９０】
このように、形成体（１）を第三の観察角度（Ｅ３）から観察した際には、第一の側部（４）及び第二の側部（５）いずれも観察可能となり、第一の側部（４）に付与した第一の要素（１０）及び第二の側部（５）に付与した第二の要素（１１）もいずれも視認可能となる。
【００９１】
なお、前述の通り、本発明における凸状万線（３）に配置した第一の要素（１０）及び第二の要素（１１）のピッチは、３００〜１０００μｍと狭いことから、複数配置された第一の要素（１０）及び第二の要素（１１）は、その一つ一つを肉眼で識別することができなくなり、集合体として視認される。つまり、肉眼では、第一の画像（７）の原画像である第一の原画像（図示せず）を第一の方向（Ｘ）に複数画線状に分割し、形成した第一の要素（１０）により形成された第一の画像（７）と、第二の画像（８）の原画像である第二の原画像（図示せず）を第一の方向（Ｘ）に複数画線状に分割し、形成した第二の要素（１１）により形成された第二の画像（８）が合成されることで形成された、カムフラージュ画像（９）が、略同一の濃度を有する画像として視認される。
【００９２】
なお、説明を簡潔にするために、基材（２）に対して視点が第一の観察角度（Ｅ１）にあるとき、第一の画像（７）が視認され、視点が第二の観察角度（Ｅ２）にあるとき第二の画像（８）が視認され、更に、視点が第三の観察角度（Ｅ３）にあるときカムフラージュ画像（９）が視認されるとした。
【００９３】
例えば、基材（２）に対して視点を第三の観察角度（Ｅ３）から第一の観察角度（Ｅ１）へと徐々に変化させていく中で、それに伴い、第二の側部（５）は、徐々に隣り合う凸状万線（３）の影となり、視認できる面積が少なくなっていき、第一の観察角度（Ｅ１）から視認した際には、完全に第二の側部（５）は、視認することができなくなる。
【００９４】
つまり、複数配置された第一の要素（１０）及び第二の要素（１１）の集合体であるカムフラージュ画像（９）から、徐々に第二の要素（１１）が含まれる比率が少なくなり、略同一な濃度を有する第一の要素（１０）及び第二の要素（１１）の集合体から、第一の要素（１０）のみからなる集合体へと徐々に変化していく。そして、視点が基材（２）に対して第一の観察角度（Ｅ１）となるときに、第一の要素（１０）のみが観察可能となることから、第一の要素（１０）のみで形成された第一の画像（７）が観察される。
【００９５】
さらに、基材（２）を第一の観察角度（Ｅ１）より大きな角度で傾けた場合においても、同様に第一の要素（１０）のみで形成された画像として観察される。このように、基材（２）に対して徐々に観察角度を変化させることにより、それに伴い、徐々に各画像の濃度変化を確認することができる。
【００９６】
また、第一の画像（７）及び第二の画像（８）において、一方の画像が他方の画像と比較して濃度が高い場合、例えば、第一の画像（７）が淡い黄色で、第二の画像（８）が黒色である場合においては、第三の観察角度（Ｅ３）から観察した際に、第一の画像（７）及び第二の画像（８）いずれの画像も視認可能だが、肉眼においては、濃度が高い第二の画像（８）が良く見えることから、カムフラージュ画像（９）は略同一な濃度とはならない。そのことから、第一の画像（７）及び第二の画像（８）は、第三の観察角度（Ｅ３）から観察した際に、各々の画像のみが視認可能とならないよう、適宜濃度を設定する。
【００９７】
以下、実施例を用いて本発明を更に具体的に説明するが、本発明を限定するものではない。
【００９８】
（実施例）
実施例とし、図１６（ａ１）に示した網点により連続階調が付与された第一の原画像（７’）、図１６（ｂ２）に示した網点により連続階調が付与された第二の原画像（８’）を用いて、図１（ａ）に示した形成体（１）を作製した。形成体（１）は、基材（２）として上質紙（日本製紙製  ＮＰＩ上質紙  ８１．４ｇ／ｍ２）を用いた。基材（１）上に、スクリーン印刷機（ＲＡＮＡＳ製  ＭＦ―２５０）を用いて、スクリーン印刷用ＵＶ硬化型インキにより、凸状万線（３）を形成した。凸状万線（３）は、２５０μｍの画線幅であり、ピッチ（ｄ）を５００μｍとした。
【００９９】
次に、第一の原画像（７’）を、ピッチ８０μｍで、複数画線状に等分割し、図１６（ａ２）に示した、複数の第一の要素（１０）を、８０μｍの一定幅の画線として形成した。図１６（ａ３）は、図１６（ａ２）に示した、複数の第一の要素（１０）を一部拡大した図である。図１６（ａ３）に示したように、複数の第一の要素（１０）は、図９に示したように、連続した配列順を保ちながら、第一の要素（１０ａ、１０ｃ、１０ｅ・・・・１０ｎ）と一つずつ飛ばしながら配置した。第一の要素（１０）は、オフセットインキ（Ｔ＆Ｋ  ＴＯＫＡ製  ベストキュア  藍）を用いて印刷した。
【０１００】
次に、第二の原画像（８’）を、ピッチ８０μｍで、複数画線状に等分割し、図１６（ｂ２）に示した、複数の第二の要素（１１）を、８０μｍの一定幅の画線として形成した。図１６（ｂ３）は、図１６（ｂ２）に示した、複数の第二の要素（１１）を一部拡大した図である。図１６（ｂ３）に示したように、複数の第二の要素（１１）は、図９に示した第一の要素（１０）と同様に、連続した配列順を保ちながら、第二の要素（１１ａ、１１ｃ、１１ｅ・・・・１１ｎ）と一つずつ飛ばしながら配置した。第二の要素（１１）は、オフセットインキ（Ｔ＆Ｋ  ＴＯＫＡ製  ベストキュア  紅）を用いて印刷した。なお、第一の要素（１０）及び第二の要素（１１）は、各々オフセット印刷機（下垣鉄工所製  ＥＰ―６０）により基材（２）上に形成した。  
【０１０１】
実施例１にて作製した形成体（１）が形成された基材（２）を、可視光源下で第一の観察角度（Ｅ１）から肉眼で観察したところ、図１７（ａ１）に示した第一の画像（７）が、シアン色の連続階調画像として視認でき、図１７（ｂ１）に示した第二の画像（８）及び図１７（ｃ１）に示したカムフラージュ画像（９）は視認できなかった。
【０１０２】
次に、形成体（１）を、第二の観察角度（Ｅ２）から肉眼で観察したところ、図１７（ｂ１）に示した第二の画像（８）が、マゼンタ色の連続階調画像として視認でき、図１７（ａ１）に示した第一の画像（７）及び図１７（ｃ１）に示したカムフラージュ画像（９）は視認できなかった。
【０１０３】
さらに、形成体（１）を第三の観察角度（Ｅ３）から肉眼で観察したところ、図１７（ｃ１）に示した第一の画像（７）及び第二の画像（８）の合成画像であるカムフラージュ画像（９）が、一様な濃度の紫色として視認できた。なお、肉眼では、一様な濃度として視認されたが、図１７（ｃ２）に示した、カムフラージュ画像（９）の一部拡大した図に示すように、実際には、第一の要素（１０）及び第二の要素（１１）が、交互に配置されていた。
【０１０４】
以上、本発明に係る実施例１に基づいて実施の形態を説明したが、上記実施例に限定されることなく特許請求の範囲記載の技術思想の範囲内で、更にいろいろな実施例があることは言うまでもない。
【符号の説明】
【０１０５】
Ｓ  偽造防止印刷物
１  形成体
２  基材
３、３ａ、３ｂ、３ｃ、３ｄ  凸状万線
４、４ａ、４ｂ、４ｃ、４ｄ  第一の側部
５  第二の側部
６  頂上部
７  第一の画像
７’  第一の原画像
８  第二の画像
８’  第二の原画像
９  カムフラージュ画像
１０、１０ａ、１０ｂ、１０ｃ、１０ｄ、１０ｅ、１０ｏ、１０ｐ  第一の要素
１０’  配列
１１  第二の要素
１２  底部
Ｘ  第一の方向
Ｚ  領域
Ｅ１  第一の観察角度
Ｅ２  第二の観察角度
Ｅ３  第三の観察角度
【図１】
0005392725.tif 000002
【図２】
0005392725.tif 000003
【図３】
0005392725.tif 000004
【図４】
0005392725.tif 000005
【図５】
0005392725.tif 000006
【図６】
0005392725.tif 000007
【図７】
0005392725.tif 000008
【図８】
0005392725.tif 000009
【図９】
0005392725.tif 000010
【図１０】
0005392725.tif 000011
【図１１】
0005392725.tif 000012
【図１２】
0005392725.tif 000013
【図１３】
0005392725.tif 000014
【図１４】
0005392725.tif 000015
【図１５】
0005392725.tif 000016
【図１６】
0005392725.tif 000017
【図１７】
0005392725.tif 000018